(57)【要約】      （修正有）【課題】エアーコンプレッサ等で生成された圧縮空気を精度良く除湿かつ冷却して冷却・乾燥空気を安価かつ合理的に生成し、これをヘアードライヤ等のエアーツールへ合理的に供給し、使用上の利便性の向上と、医療および公衆衛生、公共の環境、食品の衛生を向上した冷却乾燥空気の供給装置の提供。【解決手段】清浄で乾燥した圧縮空気を、エアーツール７等の使用設備へ供給する供給管路３，１０，６に、気液を分離可能な凝結器４と、気液を分離し圧縮空気を断熱膨張可能なエアードライヤ５とを配置する。凝結器４をエアードライヤ５よりも上流側でエアータンク１側に配置する。凝結器４で圧縮空気を最初に気液分離し、気液分離後の圧縮空気をエアードライヤ５へ導入して断熱膨張する。断熱膨張後の冷却乾燥空気を前記エアーツール７等の使用設備へ供給可能にする。【選択図】図１
2020051260.tif 000002
【特許請求の範囲】
【請求項１】
清浄で乾燥した圧縮空気を、エアーツール等の使用設備へ供給する供給管路に、気液を分離可能な凝結器と、気液を分離し圧縮空気を断熱膨張可能なエアードライヤとを配置し、前記凝結器をエアードライヤよりも上流側でエアータンク側に配置し、該凝結器で圧縮空気を最初に気液分離し、気液分離後の圧縮空気をエアードライヤへ導入して断熱膨張し、断熱膨張後の冷却乾燥空気を前記エアーツール等の使用設備へ供給可能にしたことを特徴とする冷却乾燥空気の供給装置。
【請求項２】
前記冷却乾燥空気の使用設備は、エアーツール、建物の通路、病院の治療台、歯科医院の治療台、生鮮食料品店の食品展示ケースである請求項１記載の冷却乾燥空気の供給装置
【請求項３】
前記一のエアーツールは、前記冷却乾燥空気を導入し毛髪へ吹き出し可能なヘヤードライヤである請求項２記載の冷却乾燥空気の供給装置。
【請求項４】
理容店の外壁に前記凝結器とエアードライヤとを配置し、生成した冷却乾燥空気を店内の一または複数のヘヤードライヤへ分配可能にした請求項３記載の冷却乾燥空気の供給装置。
【請求項５】
前記エアードライヤを凝結器と同形に形成した請求項１記載の冷却乾燥空気の供給装置
【請求項６】
前記エアードライヤの下流側に、前記エアードライヤと同形の１または複数のエアークリーナを配置した請求項１記載の冷却乾燥空気の供給装置。
【請求項７】
管状または板状の支持部材を垂直または斜状に配置し、該支持部材に前記供給管路を配管し、該供給管路に凝結器とエアードライヤ、および一または複数のエアークリーナを配置した請求項６記載の冷却乾燥空気の供給装置。
【請求項８】
前記支持部材を管状に構成し、その上下端部をキャップを介して閉塞し、該支持部材を屋内外に設置可能にした請求項７記載の圧縮空気の気液分離装置。
【請求項９】
前記支持部材を軸方向に二つ割りした一対の支持ピースを接合して構成した請求項８記載の冷却乾燥空気の供給装置。
【請求項１０】
前記凝結器とエアードライヤ、エアークリーナの上端部を支持部材に固定した請求項７記載の圧縮空気の気液分離装置。
【請求項１１】
使用設備の内外の適所にクールドライボックスを設置し、該クールドライボックス内に前記凝結器とエアードライヤを収納した請求項１記載の冷却乾燥空気の供給装置。
【請求項１２】
前記クールドライボックス内に前記凝結器とエアードライヤ、および１または複数のエアークリーナを収納した請求項１１記載の冷却乾燥空気の供給装置。
【請求項１３】
前記クールドライボックス内の下方に凝結器とエアードライヤを収納するとともに、クールドライボックスの底部に排出穴に連通する貫通穴を形成し、該貫通穴に凝結器とエアードライヤのそれぞれの排出管を配管した請求項１１記載の冷却乾燥空気の供給装置。
【請求項１４】
前記排出穴にエアーコンプレッサおよび／またはエアータンクに接続する圧縮空気導管を配管し、該圧縮空気導管の一端を前記凝結器に接続した請求項１３記載の冷却乾燥空気の供給装置。
【請求項１５】
前記凝結器とエアードライヤ、および／または１または複数のエアークリーナを接続する圧縮空気導管と空気導管とを、前記クールドライボックス内に配管した請求項１２記載の冷却乾燥空気の供給装置。
【請求項１６】
前記クールドライボックスを小形軽量で人力で持ち運び可能に構成した請求項１１記載の冷却乾燥空気の供給装置。
【発明の詳細な説明】
【技術分野】
【０００１】
本発明は、例えばエアーコンプレッサ等で生成された圧縮空気を精度良く除湿かつ冷却して冷却・乾燥空気を安価かつ合理的に生成し、これをヘアードライヤ等のエアーツールや建物の通路、病院の治療台や歯科医院の治療機器、生鮮食料品店の食品展示ケースへ合理的に供給し、各種エアーツールの使用上の利便性を向上するとともに、医療および公衆衛生、公共の環境、食品の衛生を向上するようにした冷却乾燥空気の供給装置に関する
【背景技術】
【０００２】
例えばヘアードライヤは、空気吸い込み口と空気吹き出し口とに連通する送風路内に、送風ファンと切換スイッチによって作動するヒ−タを備え、冷風と温風を切り換えて髪等の冷風乾燥や温風乾燥を行なえるようにしている。
【０００３】
しかし、このような従来のヘアードライヤは、洗った髪を乾燥する際に温風を髪に吹き付けると、温風の熱によって髪を傷めて変色させてしまうことがあり、また夏の暑い時期に温風を吹き付けると、一層暑くなって不快になる不具合があった。
一方、冷風を吹き付けると髪を傷めることはないが、この場合の冷風は室温の空気を送風ファンによって吹き付ける程度のため、温度や湿度が高い場合は爽快感までは得られず、また髪を乾燥させるのにやや時間が掛かる等の問題があった。
【０００４】
このような問題を解決するものとして、冷凍サイクル装置を内蔵したケースの風吹き出し口にホースの一端を取付け、その他端にドライヤーを取付けて、ドライヤーから冷風を吹き出し、洗った髪を傷めることなく乾燥するようにしたドライヤー装置がある（例えば、特許文献１参照）。
しかし、このドライヤー装置は冷凍サイクル装置を内蔵しているため、大形重量化して高価になる問題があった。
【０００５】
また、上記問題を解決するものとして、室外にコンプレッサと圧縮空気を貯留する空気タンクを設置し、前記圧縮空気を減圧弁を介して理容室内の配管に導入し、該配管に沿う床面上に複数の理容椅子を配置し、各理容椅子に可撓菅を介してヘアードライヤ等の吹出部材を接続し、該吹出部材はヒータを内蔵していて、吹出部材から吹き出す圧縮空気の温度を調節可能にした理容用ドライヤーシステムがある（例えば、特許文献２参照）。
【０００６】
更に、同様のものとして、送風手段と空気変換手段を有して室外側に配置する空気変換装置と、空気変換装置に直列に接続され室外側に配置する送風装置と、送風装置を室内側と連通し、室内側への空気供給路となる送風配管と、この送風配管の端末に接続するヘヤ−ドライヤ等の端末装置とを備え、送風装置の静圧を空気変換装置より大きく構成した空気供給装置がある（例えば、特許文献３参照）。
【０００７】
しかし、前記理容用ドライヤーシステムは、各端末装置が送風配管を共通にしているため、配管の下流側に設置する理容椅子の吹出部材の風量が漸減し、各吹出部材の風量に均一性を得られず、安定した乾燥効果を得られないという問題があった。
【０００８】
ところで、圧縮空気の冷却方法として、空気圧縮機で生成した圧縮空気を貯留するエアータンクの吐出管の下流側に、水冷式アフタークーラと冷凍式エアードライヤーを配置し、水冷式アフタークーラは冷却水を収容した冷却槽を備え、この冷却槽に前記吐出管に連通する圧縮空気管を配管して圧縮空気を冷却し、その圧縮空気管の下流部を隣接する冷凍式エアードライヤーのエアークーラに配管し、該エアークーラは内部に冷凍サイクルを構成する冷媒配管を配管して圧縮空気を冷却し、この乾燥した冷却空気をエアーシリンダ等のエアーツールへ供給するようにしたものがある（例えば、特許文献４参照）。
【０００９】
しかし、前記圧縮空気の冷却方法は、水冷式アフタークーラと冷凍式エアードライヤーを要するため、設備が大掛かりで設備費が高価になる上に広い設置スペ−スを要し、しかも冷凍式エアードライヤーはコンプレッサを始終駆動させるため、稼働コストが膨大になるという問題があった。
また、前記圧縮空気の冷却方法は、圧縮空気を大量に使用する生産工場の利用に適し、少量の冷却空気を使用する理容店には不経済で馴染まず、しかも得られた冷却空気は概して過剰に冷却され、これを直接毛髪に吹き付ける使用は冷た過ぎ、利用者に不快感を与える惧れがあった。
【００１０】
そこで、前記問題を解決するものとして、エアーコンプレッサ室と末端エアー機器を使用する工場を分離して配置し、エアーコンプレッサ室に配管した空気配管に、エアーコンプレッサとエアータンクと圧縮空気を乾燥するエアードライヤと、圧縮空気の異物を除去するエアーフィルタを介挿し、また前記工場にエアーコンプレッサ室の空気配管に連通する空気配管を配管し、該空気配管の上下流に分岐管を接続し、これらの分岐管にエアードライヤと末端エアー機器を接続し、末端エアー機器の直前にエアードライヤを配置し、エアードライヤを経由し長い空気配管を通過する間に温度変化の激しいことがあっても、また末端エアー機器周辺の室温がかなり低くても、エアードライヤにより一定の温度を確保することによって、末端エアー機器でのドレン水の発生を少なくするようにした圧縮空気の製造装置がある（例えば、特許文献５参照）。
【００１１】
しかし、前記圧縮空気の製造装置は、末端エアー機器を使用する工場において、末端エアー機器でのドレン水の発生を少なくするために、空気配管に接続した分岐管に接続する末端エアー機器の直前にエアードライヤの配置を要するため、多数のエアードライヤの配置を要し、部品点数が増加するとともに構成が複雑化して高価になり、画一的な性能のエアードライヤや、単一のエアードライヤによる除湿作用には限界があり、乾燥した清浄な圧縮空気の供給に応じられない等の問題があった。
【００１２】
更に、前記問題を解決するものとして、エアーコンプレッサの下流にエアードライヤを配置し、該エアードライヤの下流に除塵装置と中空糸エアードライヤとを配置し、中空糸エアードライヤによって圧縮空気を精密に乾燥し、これをエアーツールへ供給するようにした乾燥した圧縮空気の製造装置がある（例えば、特許文献６参照）。
【００１３】
しかし、前記圧縮空気の製造装置は、単一のエアードライヤによって圧縮空気の水分を除去しているため、水分を十分に除去することができず、これを下流の除塵装置や中空糸エアードライヤへ移動すると、除塵装置や中空糸エアードライヤの機能が低下ないし劣化し、それらの寿命を低下させるとともに、使用によって機能が低下ないし劣化した場合、それらの位置が区々なため、そのメンテナンスに手間が掛かる等の問題があった。
【先行技術文献】
【特許文献】
【００１４】
【特許文献１】実開平２−１１６２０３号公報
【特許文献２】特開平２−１４９２０９号公報
【特許文献３】特許第３８１４４７３号号公報
【特許文献４】特開平１１−１９３７８２号公報
【特許文献５】特開２００７−１３０６１８号公報
【特許文献６】特許第３３９０９６７号号公報
【発明の概要】
【発明が解決しようとする課題】
【００１５】
本発明はこのような問題を解決し、例えばエアーコンプレッサ等で生成された圧縮空気を精度良く除湿かつ冷却して冷却・乾燥空気を安価かつ合理的に生成し、これをヘアードライヤ等のエアーツールや建物の通路、病院の治療台や歯科医院の治療機器、生鮮食料品店の食品展示ケースへ合理的に供給し、各種エアーツールの使用上の利便性の向上と、医療および公衆衛生、公共の環境、食品の衛生を向上するようにした冷却乾燥空気の供給装置を提供することを目的とする。
【課題を解決するための手段】
【００１６】
請求項１の発明は、清浄で乾燥した圧縮空気を、エアーツール等の使用設備へ供給する供給管路に、気液を分離可能な凝結器と、気液を分離し圧縮空気を断熱膨張可能なエアードライヤとを配置し、前記凝結器をエアードライヤよりも上流側でエアータンク側に配置し、該凝結器で圧縮空気を最初に気液分離し、気液分離後の圧縮空気をエアードライヤへ導入して断熱膨張し、断熱膨張後の冷却乾燥空気をエアーツール等の使用設備へ供給可能にし、大掛かりで高価な冷却装置を要することなく、小形かつコンパクトな装置によって冷却乾燥空気を生成し、これをエアーツール等の使用設備へ容易かつ安価に供給し得るようにしている。
【００１７】
請求項２の発明は、冷却乾燥空気の使用設備は、エアーツール、建物の通路、病院の治療台、歯科医院の治療台、生鮮食料品店の食品展示ケースで、エアーツールは工場や家庭で使用される産業用または衛生用の機械器具、建物の通路は駅舎や病院、大学等の建築物内の換気を要する人の移動通路、病院の治療台や歯科医院の治療台は、患者の手術や治療に使用する治療台に装備される清浄用空気の給排設備と、圧縮空気によって駆動する手術や治療用器具の駆動設備、生鮮食料品店の食品展示ケースは、食料品の鮮度維持向上のために清浄空気を吹き付ける設備で、産業の利便性、医療および公衆衛生と公共の環境、食品の衛生を向上するようにしている。
【００１８】
請求項３の発明は、一のエアーツールは、冷却乾燥空気を導入し毛髪へ吹き出し可能なヘヤ−ドライヤで、温風を吹き付けず毛髪を傷めることなく乾燥し得るようにしている。
請求項４の発明は、理容店の外壁に前記凝結器とエアードライヤとを配置し、生成した冷却乾燥空気を店内の一または複数のヘヤ−ドライヤへ分配可能にし、大掛かりで高価な冷却装置を要することなく、小形かつコンパクトな装置によって冷却乾燥空気を生成し、これを店内のヘヤ−ドライヤへ供給し得るようにしている。
請求項５の発明は、エアードライヤを凝結器と同形に形成し、エアードライヤと凝結器の構成部品を共通化し、それらを合理的かつ安価に製作し得るようにしている。
請求項６の発明は、エアードライヤの下流側に、前記エアードライヤと同形の１または複数のエアークリーナを配置し、それらの構成部品を共通化し、それらを合理的かつ安価に製作し得るようにしている。
【００１９】
請求項７の発明は、管状または板状の支持部材を垂直または斜状に配置し、該支持部材に前記供給管路を配管し、該供給管路に凝結器とエアードライヤ、および一または複数のエアークリーナを配置し、支持部材を使用して凝結器とエアードライヤ、一または複数のエアークリーナを容易かつコンパクトに設置し得るようにしている。
請求項８の発明は、支持部材を管状に構成し、その上下端部をキャップを介して閉塞し、該支持部材を屋内外に設置可能にし、支持部材の内部に設置した凝結器とエアードライヤ、一または複数のエアークリーナを保護し、その屋内外での設置を促すようにしている
請求項９の発明は、支持部材を軸方向に二つ割りした一対の支持ピースを接合して構成し、管状の支持部材の製作と使用上の利便性を向上し、内部に設置した凝結器とエアードライヤ等のメンテナンスの向上を図るようにしている。
請求項１０の発明は、凝結器とエアードライヤ、エアークリーナの上端部を支持部材に固定し、内部に設置する凝結器、エアードライヤ、エアークリーナの取付けを簡便に行なえるようにしている。
【００２０】
請求項１１の発明は、使用設備の内外の適所にクールドライボックスを設置し、該クールドライボックス内に前記凝結器とエアードライヤを収納し、凝結器とエアードライヤをコンパクトかつ簡便に設置し、構成を簡潔にするとともに、使用上の利便性を向上するようにしている。
請求項１２の発明は、クールドライボックス内に前記凝結器とエアードライヤ、および１または複数のエアークリーナを収納し、清浄で冷却した乾燥空気を簡便に得られるようにしている。
請求項１３の発明は、クールドライボックス内の下方に凝結器とエアードライヤを収納するとともに、クールドライボックスの底部に排出穴に連通する貫通穴を形成し、該貫通穴に凝結器とエアードライヤのそれぞれの排出管を配管し、各排出管の配管をコンパクトかつ簡便に行なうとともに、それらのドレン水を確実かつ円滑に排出するようにしている
【００２１】
請求項１４の発明は、排出穴にエアーコンプレッサおよび／またはエアータンクに接続する圧縮空気導管を配管し、該圧縮空気導管の一端を凝結器に接続し、エアーコンプレッサで生成した圧縮空気導管をクールドライボックス内に配管し、これを凝結器に接続して圧縮空気を合理的かつコンパクトに導入するようにしている。
請求項１５の発明は、凝結器とエアードライヤ、および／または１または複数のエアークリーナを接続する圧縮空気導管と空気導管とを、前記クールドライボックス内に配管し、それらの配管をコンパクトに実現するとともに、その配管作業を容易に行なうようにしている。
したがって、圧縮空気導管と空気導管とをクールドライボックスの外部に配管する場合に比べて、クールドライボックスの構成が簡潔になるとともに、圧縮空気導管と空気導管の配管をコンパクトに行なえ、しかも清浄な冷却乾燥空気の外気との接触を回避して昇温を抑制し、エアーツールへ供給するようにしている。
請求項１６の発明は、クールドライボックスを小形軽量で人力で持ち運び可能に構成し、その設置や移動を容易に行なえるようにしている。
【発明の効果】
【００２２】
請求項１の発明は、清浄で乾燥した圧縮空気を、エアーツール等の使用設備へ供給する供給管路に、気液を分離可能な凝結器と、気液を分離し圧縮空気を断熱膨張可能なエアードライヤとを配置し、前記凝結器をエアードライヤよりも上流側でエアータンク側に配置し、該凝結器で圧縮空気を最初に気液分離し、気液分離後の圧縮空気をエアードライヤへ導入して断熱膨張し、断熱膨張後の冷却乾燥空気をエアーツール等の使用設備へ供給可能にしたから、大掛かりで高価な冷却装置を要することなく、小形かつコンパクトな装置によって冷却乾燥空気を生成し、これをエアーツール等の使用設備へ容易かつ安価に供給することができる。
請求項２の発明は、冷却乾燥空気の使用設備は、エアーツール、建物の通路、病院の治療台、歯科医院の治療台、生鮮食料品店の食品展示ケースであり、エアーツールは工場や家庭で使用される産業用または衛生用の機械器具、建物の通路は駅舎や病院、大学等の建築物内の換気を要する人の移動通路、病院の治療台や歯科医院の治療台は、患者の手術や治療に使用する治療台に装備される清浄用空気の給排設備と、圧縮空気によって駆動する手術や治療用器具の駆動設備、生鮮食料品店の食品展示ケースは、食料品の鮮度維持向上のために清浄空気を吹き付ける設備で、産業の利便性と、医療および公衆衛生と公共の環境、食品の衛生を向上することができる。
【００２３】
請求項３の発明は、一のエアーツールは、冷却乾燥空気を導入し毛髪へ吹き出し可能なヘヤードライヤであるから、温風を吹き付けず毛髪を傷めることなく乾燥することができる。
請求項４の発明は、理容店の外壁に前記凝結器とエアードライヤとを配置し、生成した冷却乾燥空気を店内の一または複数のヘヤードライヤへ分配可能にしたから、大掛かりで高価な冷却装置を要することなく、小形かつコンパクトな装置によって冷却乾燥空気を生成し、これを店内のヘヤードライヤへ供給することができる。
請求項５の発明は、エアードライヤを凝結器と同形に形成したから、エアードライヤと凝結器の構成部品を共通化し、それらを合理的かつ安価に製作することができる。
請求項６の発明は、エアードライヤの下流側に、前記エアードライヤと同形の１または複数のエアークリーナを配置し、それらの構成部品を共通化し、それらを合理的かつ安価に製作することができる。
【００２４】
請求項７の発明は、管状または板状の支持部材を垂直または斜状に配置し、該支持部材に前記供給管路を配管し、該供給管路に凝結器とエアードライヤ、および一または複数のエアークリーナを配置したから、支持部材を使用して凝結器とエアードライヤ、一または複数のエアークリーナを容易かつコンパクトに設置することができる。
請求項８の発明は、支持部材を管状に構成し、その上下端部をキャップを介して閉塞し、該支持部材を屋内外に設置可能にしたから、支持部材の内部に設置した凝結器とエアードライヤ、一または複数のエアークリーナを保護し、その屋内外での設置を促すことができる。
請求項９の発明は、支持部材を軸方向に二つ割りした一対の支持ピースを接合して構成したから、管状の支持部材の製作と使用上の利便性を向上し、内部に設置した凝結器とエアードライヤ等のメンテナンスの向上を図ることができる。
請求項１０の発明は、凝結器とエアードライヤ、エアークリーナの上端部を支持部材に固定したから、内部に設置する凝結器、エアードライヤ、エアークリーナの取付けを簡便に行なうことができる。
【００２５】
請求項１１の発明は、使用設備の内外の適所にクールドライボックスを設置し、該クールドライボックス内に前記凝結器とエアードライヤを収納したから、凝結器とエアードライヤをコンパクトかつ簡便に設置し、構成を簡潔にするとともに、使用上の利便性を向上することができる。
請求項１２の発明は、クールドライボックス内に前記凝結器とエアードライヤ、および１または複数のエアークリーナを収納したから、清浄で冷却した冷却乾燥空気を簡便に得ることができる。
請求項１３の発明は、クールドライボックス内の下方に凝結器とエアードライヤを収納するとともに、クールドライボックスの底部に排出穴に連通する貫通穴を形成し、該貫通穴に凝結器とエアードライヤのそれぞれの排出管を配管したから、各排出管の配管をコンパクトかつ簡便に行なえるとともに、それらのドレン水を確実かつ円滑に排出することができる。
【００２６】
請求項１４の発明は、排出穴にエアーコンプレッサおよび／またはエアータンクに接続する圧縮空気導管を配管し、該圧縮空気導管の一端を凝結器に接続したから、エアーコンプレッサで生成した圧縮空気導管をクールドライボックス内に配管し、これを凝結器に接続して圧縮空気を合理的かつコンパクトに導入することができる。
請求項１５の発明は、凝結器とエアードライヤ、および／または１または複数のエアークリーナを接続する圧縮空気導管と空気導管とを、前記クールドライボックス内に配管し、それらの配管をコンパクトに実現するとともに、その配管作業を容易に行なうことができる。
したがって、圧縮空気導管と空気導管とをクールドライボックスの外部に配管する場合に比べて、クールドライボックスの構成が簡潔になるとともに、圧縮空気導管と空気導管の配管をコンパクトに行なうことができ、しかも清浄な冷却乾燥空気の外気との接触を回避して昇温を抑制し、エアーツールへ供給することができる。
請求項１６の発明は、クールドライボックスを小形軽量で人力で持ち運び可能に構成したから、その設置や移動を容易に行なうことができる。
【図面の簡単な説明】
【００２７】
【図１】本発明の第１の実施形態を示す正面図で、その凝結器とエアードライヤによるヘヤードライヤへの冷却乾燥空気の供給状況を示している。
【図２】図１の平面図を示している。
【図３】図２の底面図を示している。
【図４】本発明に適用した凝結器の右側面図を示している。
【図５】図１のＡ−Ａ線に沿う断面図である。
【００２８】
【図６】図４のＢ−Ｂ線に沿う断面図である。
【図７】図１のＣ−Ｃ線に沿う断面図である。
【図８】図１のＤ−Ｄ線に沿う断面図である。
【図９】本発明に適用したエアードライヤの右側面図を示している。
【図１０】図１のＥ−Ｅ線に沿う断面図である。
【００２９】
【図１１】図９のＦ−Ｆ線に沿う断面図である。
【図１２】図１１のＧ−Ｇ線に沿う断面図である。
【図１３】図１２のＨ−Ｈ線に沿う断面図である。
【図１４】本発明の冷却乾燥空気の使用設備であるエアーツールとして、ヘアードライヤに適用した状況の要部を示す断面図である。
【図１５】図１４のＩ−Ｉ線に沿う拡大断面図である。
【図１６】図１４のヘアードライヤの要部を分解して示す斜視図である。
【００３０】
【図１７】本発明の第２の実施形態を示す正面図で、凝結器とエアードライヤと３個のエアークリーナを横一列に配置して、清浄で冷却した乾燥空気をエアーツールへ供給している。
【図１８】第２の実施形態に適用したエアークリーナを示す右側面図である。
【図１９】図１７の平面図で、凝結器を省略して図示している。
【図２０】図１９の底面図で、凝結器を省略して図示している。
【図２１】図１９の縦断面図で、凝結器を省略して図示している。
【図２２】本発明の第３の実施形態を示す断面図で、凝結器とエアードライヤと３個のエアークリーナを、管状の支持部材の内部に配置した状況を示している。
【００３１】
【図２３】本発明の第４の実施形態を示す正面図で、理容店内にクールドライボックスを設置し、該ボックスをカバーを取外して図示し、そのボックス内の上段に凝結器とエアードライヤと１個のエアークリーナを収納し下段に２個のエアークリーナとドレン水貯留器を配置した状況を示している。
【図２４】本発明の第５の実施形態を示す正面図で、多量の冷却乾燥空気を使用する医科医院内にクールドライボックス設置し、該ボックスをカバーを取外して図示し、そのボックス内の下段に凝結器とエアードライヤを収納し、上段に３個のエアークリーナを収納した状況を示し、下段の凝結器とエアードライヤのドレン排水管をクールドライボックスの底面の下方に配管し、外部へ排出している。
【発明を実施するための形態】
【００３２】
以下、本発明を冷却乾燥空気の使用量が比較的少ないエアーツールとして、例えば理容店または理髪店で使用するヘヤードライヤないしヘヤーブラシ（以下、ヘヤードライヤ）に適用した図示の実施形態について説明すると、図１乃至図１６において１はエアーコンプレッサ２で生成した圧縮空気を貯留するエアータンクで、その送出側の可及的に上流側位置に圧縮空気導管３を介して凝結器４を接続している。
【００３３】
前記凝結器４は、エアータンク１からの圧縮空気を最初にかつ大量に効率良く気液分離し、その除湿空気を隣接する下流側のエアードライヤ５へ移送し、該ドライヤ５によって残存する水分を精密に気液分離し、これを送出側の圧縮空気導管６を介して、理容店または理髪店Ｓ（以下、理容店）に設置した分配器Ｍへ供給し、該分配器Ｍから一または複数のヘヤードライヤ等のエアーツール７へ供給可能にしている。
【００３４】
前記理容店Ｓに、例えば複数の導管接続口を備えた前述の分配器Ｍを設置し、その複数の接続口にゴムホース等の柔軟で所望長さの複数の端末導管Ｐの一端を接続し、その他端に冷却乾燥空気を吹き出し可能なヘヤードライヤ７を接続している。
前記端末導管Ｐはカプラ等の接続具Ｋを介して、前記導管接続口に着脱可能に装着され、前記接続具Ｋの内部に圧縮空気の開閉弁（図示略）を設けている。前記開閉弁はヘヤードライヤ７の柄に設けた操作摘み（図示略）によって開閉可能に構成され、ヘヤーブラシ部７ａに乾燥した冷却空気を供給および遮断可能にしている。
【００３５】
前記凝結器４とエアードライヤ７は理容店Ｓの外壁面５２に設置され、その上端面に略Ｌ字形断面の鋼板製の連結片８が掛け渡され、その四隅のビス孔５１にビス９をねじ込んで連結片８を取付けている。
この場合、実施形態では連結片８を外壁面５２に横向きに取付けているが、縦向きに取付け、凝結器４とエアードライヤ５とを上下に水平に取付けることも可能である。
【００３６】
そして、前記連結片８の屈曲片８ａの四隅の長孔５１にビスを挿入し、これを凝結器４およびエアードライヤ５に面する壁面５２にねじ込んで、凝結器４とエアードライヤ５を取付けている。
図中、１０は凝結器４とエアードライヤ５の相対する後述のアウトレットとインレットを接続した中継導管で、前記圧縮空気導管３，６と連通可能にされている。
【００３７】
前記凝結器４は、合成樹脂製のヘッドカバー１１と、該ヘッドカバー１１に上部を連結した有底中空の透明または不透明、実施形態では透明の合成樹脂製の筒状容器１２と、該容器１２の外側に配置した合成樹脂製の筒状の容器カバー１３と、筒状容器１２の内側に配置した中空筒状の合成樹脂製の凝結シリンダ１４と、から構成されている。
前記ヘッドカバー１１は図２のように、上部を略八角柱状に形成され、その相対する一対の側壁にインレット１５とアウトレット１６を形成し、それらのネジ孔に前記圧縮空気導管３，６を接続している。
【００３８】
前記ヘッドカバー１１の下端部に正方形板状のフランジ１１ａが突設され、このフランジ１１ａに容器カバー１３の上端部が接続されている。
前記ヘッドカバー１１のインレット１５の奥部に通路１７が形成され、またヘッドカバー１１の下部内周面にネジ部１８が形成され、該ネジ部１８に筒状容器１２の上端部がねじ込まれて接続されている。
前記筒状容器１２は、実施形態では透明な合成樹脂によって成形され、その底部は略半球面状に形成され、その底部に貯留したドレン水を自動的に排出可能なオートドレン１９が設置されている。
【００３９】
前記オートドレン１９は例えば常閉形に構成され、常時は後述のピストン弁が閉弁可能にされ、筒状容器１２内に凝縮水であるドレン水５３が所定水位以上溜まると、支軸２０に摺動可能に支持したフロート５４を上動させて前記排水弁を開弁し、前記ドレン水５３を排出可能にしている。
【００４０】
前記支軸２０の下部に大小異径のネジパイプ５６，５７が設けられ、このうち大径のネジパイプ５６が筒状容器１２の底部の外側に突出され、この突出部にナット２７がねじ込まれて、支軸２０を筒状容器１２に支持している。
また、小径のネジパイプ５７が容器カバー１３の底部に形成した通孔２８の直下に突出し、この突出部に排出管５８の一端がねじ込まれ、その他端が排出溜（図示略）に配管されている。
【００４１】
図中、５９はフロート５４の上端面に立設したＬ字形の支持金具で、その上部のピン孔にピン６０が摺動可能に挿入され、該ピン６０の一端が支軸２０の上端部を貫通して、フロート５４の上下変位を規制している。
前記支軸２０の上端内部に空気弁（図示略）がピン６０と同動可能に設けられ、該空気弁が支軸２０内の空気通路（図示略）を開閉可能にしている。前記空気弁は常時は閉弁されて空気通路を閉塞し、支軸２０の中間内部に流入した圧縮空気によってピストン弁（図示略）を閉塞し、ドレン水５３の排出を阻止している。
【００４２】
そして、ドレン水５３が所定量貯留され、フロート５４が上動した際に空気弁が開弁し、筒状容器１２内の圧縮空気を空気通路に導入し、支軸２０の中間内部に設けたピストン弁を押し下げて、ネジパイプ５６，５７に連通する排出孔（図示略）を開放し、ドレン水５３を排出可能にしている。
前記ヘッドカバー１１の中央下部に、アウトレット１６に連通するネジ孔２１が形成され、該ネジ孔２１に凝結シリンダ１４の上端部に突設した連結管２２のネジ部がねじ込まれている。
【００４３】
前記容器カバー１３は、筒状容器１２を内部に収容可能な有底中空の筒状の容器に構成され、その上端部に前記フランジ１１ａと同形の正方形板状のフランジ１３ａが突設され、その隅角部に形成したビス孔（図示略）にビス２３を挿入し、これを隣接するフランジ１１ａの隅角部に形成したビス孔（図示略）にねじ込んで連結している。
図中、２４は前記フランジ１３ａの上面に突設した位置決めピンで、前記フランジ１１ａの下端部に形成したピン孔に係合可能に配置されている。
【００４４】
前記容器カバー１３の周面の対向位置に複数の開口部２５が上下方向に離間して配置され、該開口部２５から内側の筒状容器１２を透視可能にしている。図中、２６は容器カバー１３と筒状容器１２との間に形成された空隙部で、筒状容器１２の周面に空気を接触可能にしている。
【００４５】
前記エアードライヤ５は外観上、凝結器４と同様に構成され、該エアードライヤ５はヘッドカバー１１と同様のヘッドカバー２９と、該ヘッドカバー２９に上部を連結した筒状容器１２と同様の中空有底の透明または不透明、実施形態では透明の合成樹脂製の筒状容器３０と、該容器３０の外側に配置した前記容器カバー１３と同様の合成樹脂製の筒状の容器カバー３１と、筒状容器３０の内側に配置した中空筒状の合成樹脂製の凝縮シリンダ３２と、から構成されている。
【００４６】
前記ヘッドカバー２９は図２のように、上部を略八角柱状に形成され、その相対する一対の側壁にインレット３３とアウトレット３４を形成し、それらのネジ孔に前記接続導管１０と接続導管６を接続している。
前記ヘッドカバー２９の下端部に正方形板状のフランジ２９ａが突設され、このフランジ２９ａに容器カバー３１の上端部が接続されている。
【００４７】
前記ヘッドカバー２９のインレット３３の奥部に通路３５が形成され、またヘッドカバー２９の下部内周面にネジ部３６が形成され、該ネジ部３６に筒状容器３０の上端部がねじ込まれて接続されている。
前記筒状容器３０の底部は略半球面状に形成され、その底部にオートドレン３７が設置されている。
【００４８】
前記オートドレン３７は、前記オートドレン１９と実質的に同一に構成され、該オートドレン３７は例えば常閉形に構成され、常時はピストン弁（図示略）が閉弁可能にされ、筒状容器３０内に凝縮水であるドレン水３８が所定水位以上溜まると、支軸６１に摺動可能に支持したフロート６２を上動して前記ピストン弁を開弁し、前記ドレン３８を排出可能にしている。
【００４９】
前記支軸６１の下部に大小異径のネジパイプ６３，６４が設けられ、このうち大径のネジパイプ６３が筒状容器３０の底部の外側に突出され、この突出部にナット６５がねじ込まれて支軸６１を支持している。
また、小径のネジパイプ６４が容器カバー３１の底部に形成した通孔４６の直下に突出し、この突出部に排出管６７の一端がねじ込まれ、その他端が排出溜（図示略）に配管されている。
図中、６８はフロート６２の上端面に立設したＬ字形の支持金具で、その上部のピン孔にピン６９が摺動可能に挿入され、該ピン６９の一端が支軸６１の上端部を貫通して、フロート６２の上下変位を規制している。
【００５０】
前記支軸６１の上端内部に空気弁（図示略）がピン６９と同動可能に設けられ、該空気弁が支軸６１内の空気通路（図示略）を開閉可能にしている。前記空気弁は常時は閉弁されて空気通路を閉塞し、支軸６１の中間内部に流入した圧縮空気によってピストン弁（図示略）を閉塞し、ドレン水３８の排出を阻止している。
【００５１】
そして、ドレン水３８が所定量貯留し、フロート６２が上動した際に空気弁が開弁し、筒状容器３０内の圧縮空気を空気通路に導入し、支軸６１の中間内部に設けたピストン弁を押し下げて、ネジパイプ６３，６４に連通する排出孔（図示略）を開放し、ドレン水３８を排出可能にしている。
前記ヘッドカバー２９の中央下部に、アウトレット３４に連通するネジ孔３９が形成され、該ネジ孔３９に凝縮シリンダ３２の上端部に突設した連結管４０のネジ部がねじ込まれている。
【００５２】
前記容器カバー３１は、筒状容器３０を内部に収容可能な有底中空の筒状の容器に構成され、その上端部に前記フランジ１１ａと同形の方形板状のフランジ３１ａが突設され、その隅角部に形成したビス孔（図示略）にビス４１を挿入し、これを隣接するフランジ１３ａの隅角部に形成したビス孔（図示略）にねじ込んで連結している。
図中、４２は前記フランジ３１ａの上面に突設した位置決めピンで、前記フランジ２９ａの下端部に形成したピン孔に係合可能に配置されている。
【００５３】
前記容器カバー３１の周面の対向位置に複数の開口部４３が上下方向に配置され、内側の筒状容器３０を透視可能にしている。図中、４４は容器カバー３１と筒状容器３０との間に形成された空隙部で、筒状容器３０の周面に空気を接触可能にしている。
前記凝縮シリンダ３２の上部に、連結シリンダ４７を介して円板状の基板４８が設けられ、該基板４８の下面に複数の集気シリンダ４９が等角度位置に突設されている。
前記集気シリンダ４９の環状壁４９ａの内側に小径の貫通孔５０が形成され、該貫通孔５０を移動した圧縮空気を連結シリンダ４７内へ断熱膨張状態で噴出可能にしている。
【００５４】
一方、エアーツール７であるヘヤードライヤは、端末導管Ｐに連通する略楕円菅状のブラシホルダ７０と、該ブラシホルダ７０の先端部の切欠部７１に装着したブラシ台７２と、該ブラシ台７２の内側から着脱可能に装着したブラシユニット７３と、該ブラシユニット７３の基部を保持するブラシ枠７４と、から構成されている。
図中、ｒは隣接するブラシユニット７３の基部の間に形成された空隙部で、後述する貫通孔と吹出孔に連通している。
【００５５】
前記切欠部７１の両側に係合爪７０ａが突設され、該係合爪７０ａにブラシ台７２の両側縁７２ａ, ７２ａが係合可能に取付けられている。
前記ブラシ台７２に複数の通孔７５が縦列に形成され、該通孔７５にブラシユニット７３の複数のブラシ軸７３ａが挿入され、また前記通孔７５の縦列の間に長孔状の複数の吹出孔７６が形成され、乾燥した冷風を毛髪に吹き出し可能にされている。
【００５６】
前記ブラシ枠７４にブラシホルダ７０の内部に連通する複数の貫通孔７７が形成され、ブラシホルダ７０内の乾燥した冷風を吹出孔７６へ移動可能にされ、また前記切欠部７１と他側のブラシホルダ７０は中空の軸筒状に形成され、使用時に握持部７０ｂとして機能可能にしている。
【００５７】
このように構成した本発明の冷却乾燥空気の供給装置は、エアータンク１とエアーツール７との間の、圧縮空気の供給導管３，６の間に、凝結器４とエアードライヤ５を配置している。
したがって、圧縮空気の供給導管から分岐した分岐線毎に、その最上流部にエアードライヤを配置する場合に比べて、分岐線ないし支線の配管を要せず、圧縮空気の配管およびその作業並びにそれらのメンテナンスを簡潔かつコンパクトに行なえ、これを安価かつ合理的に行なえる。
しかも、凝結器４はエアータンク１からの離隔距離を問わず、可及的にエアータンク１に近接して配置されるから、その設置位置や設置環境を拘束されずに種々の使用に応じられる。
【００５８】
前記凝結器４とエアードライヤ５は外観上、同様に構成され、それらの構成はヘッドカバー１１と２９、筒状容器１２と３０、容器カバー１３と３１が実質的に同一に構成され、対応する構成部材の共用化を図れるから、これを合理的かつ安価に製作し得、またメンテナンスの容易化を図れる。
【００５９】
前記凝結器４を組み立てる場合は、ヘッドカバー１１の下部中央のネジ部２１に、集気シリンダ１４の連結管２２のネジ部をねじ込み、また筒状容器１２内の底部にオートドレン１９を配置し、そのネジパイプ５６を筒状容器１２の底部の通孔に挿入して外側に突出し、この突出部にナット２７をねじ込んで緊締し、オートドレン１９を筒状容器１２に固定する。
【００６０】
この後、ヘッドカバー１１の下部内周面のネジ部１８に筒状容器１２の上端部のネジ部をねじ込み、該筒状容器１２の外側に容器カバー１３を被着し、それらのフランジ１１ａとフランジ１３ａを接合し、かつそれらのピン孔にピン２４を挿入しビス孔にビス２３を挿入して、これを他方のビス孔にねじ込んで、これらを連結する。
【００６１】
一方、エアードライヤ５を組み立てる場合は、凝結器４の組み立てと略同様の要領で行なう。
すなわち、ヘッドカバー２９の下部中央のネジ部３９に、凝縮シリンダ３２の連結管４０のネジ部をねじ込み、また筒状容器３０内の底部にオートドレン３７を配置し、そのネジパイプ６３を筒状容器３０の底部の通孔に挿入して外側に突出し、この突出部にナット６５をねじ込んで緊締し、オートドレン３７を筒状容器３０に固定する。
【００６２】
この後、ヘッドカバー２９の下部内周面のネジ部３６に筒状容器３０の上端部のネジ部をねじ込み、該筒状容器３０の外側に容器カバー３１を被着し、それらのフランジ３１ａとフランジ２９ａを接合し、かつそれらのピン孔にピン４２を挿入して位置合わせし、それらのビス孔にビス４１を挿入し、これを他方のビス孔にねじ込んで、これらを連結する
【００６３】
こうして凝結器４とエアードライヤ５を組み立て後、それらのアウトレット１６とインレット３３を対向配置し、凝結器４のアウトレット１６に接続導管１０の一端のネジ部をねじ込み、この他端のネジ部をエアードライヤ５のインレット３３にねじ込み、凝結器４とエアードライヤ５とを接続導管１０で連結する。
この後、凝結器４とエアードライヤ５のヘッドカバー１１，２９の上端部の平坦面に連結片８を載置し、それらのビス孔にビス９を挿入してねじ込み、凝結器４とエアードライヤ５とを連結片８を介して連結する。
【００６４】
こうして凝結器４とエアードライヤ５を連結後、連結片８の屈曲片８ａを壁面５２に接合し、その長孔５１にビスを挿入し、これを壁面５２側のビス孔にねじ込んで緊締し、凝結器４とエアードライヤ５を壁面５２の同高位置に取付ける。
そして、接続導管３の一端のネジ部を凝結器４のインレット１５にねじ込み、この他端のネジ部をエアータンク１の接続ネジ部にねじ込み、これらを緊締する。
【００６５】
このように凝結器４とエアードライヤ５は複数の構成部材を共有するため、これらの組み立てを容易かつ速やかに行なえ、組み立て後、これらをエアータンク１とエアーツール７に組み込む場合も、接続導管３，６の間に近接して配置すれば良い。
したがって、圧縮空気の供給管から分岐した分岐線毎に、その最上流部にエアードライヤを配置する場合に比べて、分岐線ないし支線の配管を要せず、それらの配管およびその作業並びにそれらのメンテナンスを簡潔かつコンパクトに行なえ、しかも安価かつ合理的に行なえる。この状況は図１のようである。
【００６６】
そして、接続導管６の一端のネジ部をエアードライヤ５のアウトレット３４にねじ込み、この他端のネジ部を理容店Ｓに設置した分配器Ｍにねじ込む。
この後、ヘア−ドライヤ７の握持部７０ｂの基端部に端末導管Ｐの一端を接続し、この他端を分配器Ｍの内側の接続口に接続する。
このように凝結器４とエアードライヤ５は複数の構成部材を共有するため、これらの組み立てを容易かつ速やかに行なえ、組み立て後、これらをエアータンク１とエアーツール７に組み込む場合も、接続導管３，６の間に近接して配置すれば良い。
【００６７】
こうして組み付けた凝結器４とエアードライヤ５にエアータンク１側から高圧の圧縮空気を送り込むと、圧縮空気は接続導管３に導かれて凝結器４のインレット１５に導入され、その奥部の通路１７から筒状容器１２内に流入し、筒状容器１２の内面と凝結シリンダ１４の外面との間を移動し、凝結シリンダ１４の下方から内側へ移動して、凝結シリンダ１４の上部から連結管２２を移動してアウトレット１６へ送り出され、接続導管１０からアウトレット１６を経てエアードライヤ５へ移動する。
【００６８】
その際、圧縮空気は筒状容器１２と凝結シリンダ１４との狭小スペースに押し込まれて移動し、更に凝結シリンダ１４の上面に衝突してアウトレット１６へ移動する。
このため、圧縮空気中の水分が能率良く凝集して凝結し、その液滴が筒状容器１２内に流下する。この場合、圧縮空気は流路の上流側で高圧を維持し、これが比較的広い流路を移動するから、大きな流量を維持して多量に凝集し凝結する。
【００６９】
したがって、圧縮空気中の水分が効率良く除去されて除湿され、多量のドレン水５３が生成されて筒状容器１２の底部に貯留する。
そして、前記ドレン水５３が所定液面以上貯留すると、オートドレン１９のフロート５４が上動し、ピストン弁（図示略）を開弁して排出管５８に排出される。
【００７０】
こうして凝結器４で水分を効率良く除去された圧縮空気が、接続導管１０に導かれてエアードライヤ５のインレット３３へ移動し、その奥部の通路３５から筒状容器３０内に流入し、筒状容器３０の内面と凝結シリンダ３２の外面との間を移動して、凝結シリンダ３２の下方から内側へ流入する。
そして、前記圧縮空気は基板４８の上面に衝突し、集気シリンダ４９内の貫通孔５０を移動して上部の連結管４７へ流出し、圧縮空気中の水分が能率良く凝集して凝結し、その液滴が凝結シリンダ３２から筒状容器４３内に流下して、圧縮空気の除湿ないし乾燥が更に促され、アウトレット３４から接続導管６を経てエアーツール７へ移動する。
【００７１】
したがって、除湿ないし乾燥した圧縮空気をエアーツール７へ供給し得るとともに、凝縮された多量のドレン水３８が筒状容器４３の底部に貯留する。
そして、前記ドレン水３８が所定液面以上貯留すると、オートドレン３７のフロート６２が上動し、ピストン弁（図示略）を開弁して排出管６７に排出される。
【００７２】
この場合、筒状容器１２，３０を透明に構成し、開口部２５，４３から内部を透視できるから、筒状容器１２，３０の内部状況を視認でき、ドレン水３８，５３の貯留状況や凝結シリンダ１４，３２の状況、およびオートドレン１９，３７の状況を確認できることとなる。
また、容器カバー１３，３１は、空隙部２６，４４を介して筒状容器１２，３０の外側に配置されているから、それらの間に空気を流通させて筒状容器１２，３０の冷却を図れ、気液分離作用を増進し得るとともに、筒状容器１２，３０の破損による破片の飛散を防止し、また外部からの機械的な攻撃に耐えられる。
【００７３】
一方、理容店Ｓの外壁に設置した分配器Ｍの屋内側の接続口には、柔軟で所望長さの複数の端末導管Ｐが接続され、該導管Ｐの先端部がヘア−ドライヤ７の握持部７０ｂに接続され、該導管Ｐに前述のように除湿され冷却された乾燥空気が導かれる。
前記握持部７０ｂの基端部に開閉弁（図示略）が設けられ、該開閉弁を握持部７０ｂに設けた操作摘み（図示略）を操作して開閉し、その開弁時に冷却した乾燥空気が握持部７０ｂからブラシホルダ７０内へ導かれる。
【００７４】
前記ヘアードライヤ７は、その先端部のブラシ台７２の通孔７５にブラシユニット７３のブラシ軸７３ａが内側から挿入され、該ユニット７３の基部の間に、貫通孔７７と吹出孔７６に連通する空隙部ｒを形成して組み立てられる。
この場合、ヘアードライヤ７による乾燥作業は、冷却・乾燥空気の吹出しのみで行なわれ、温風の吹出しを行わないから、温風の吹出し機構を要さず、その分、ヘアードライヤ７を安価に製作できる。
【００７５】
こうして、ブラシホルダ７０内に導かれた冷却・乾燥空気は、貫通孔７７から空隙部ｒを経て吹出孔７６から外部へ吹き出され、ブラシ軸７３ａ，７３ａの間を移動する。
そこで、ヘアードライヤ７の握持部７０ｂを保持し、例えば洗髪後の利用者の毛髪の間にブラシ軸７３ａを挿入して梳いていくと、冷却・乾燥空気が吹出孔７６から毛髪と頭皮へ吹き出され、それらに付着した水分が吹き飛ばされて乾燥を促す。
その際、毛髪と頭皮には冷却・乾燥空気が接触するから、毛髪が傷まずに済み、また頭皮は火傷することなく安全に保護され、清涼感を維持して毛髪と頭皮が乾かされる。
【００７６】
こうして毛髪を乾かし後、操作摘み（図示略）を操作して開閉弁を閉弁し、吹出孔７６からの冷却・乾燥空気の吹出しを停止して、一連の乾燥作業を終了する。
このように前記作業は冷却・乾燥空気の吹出しによって行われ、温風の吹出しを行わないから、その分の電力の消費がなく、それだけ安価に使用できる。
【００７７】
図１７乃至図２４は本発明の他の実施形態を示し、前述の実施形態と対応する構成部分に同一の符号を用いている。
このうち、図１７乃至図２１は本発明の第２の実施形態を示し、この実施形態は前記エアードライヤ５の下流側の圧縮空気の流路に、圧縮空気の異物を除去し清浄し乾燥するための互いに異なる複数のエアークリーナ７７〜７９を近接して配置している。
実施形態では上流側のエアークリーナ７７にオイルミスト除去クリーナを配置し、その下流側のエアークリーナ７８に乾燥・除湿除去クリーナを配置し、その下流側のエアークリーナ７９に不純物除去クリーナを配置している。
【００７８】
前記エアークリーナ７７〜７９は、前述の凝結器４またはエアードライヤ５と外観的に同様に構成され、これは前記ヘッドカバー１１と実質的に同一のヘッドカバー８０と、該カバー８０に上部を連結した前記筒状容器１２と実質的に同一の透明な筒状容器８１と、該容器８１の外側に配置した前記容器カバー１３と実質的に同一の容器カバー８２と、から構成され、これらの下端部には前記オートドレンの代わりに、簡単な構成の簡易ドレン８３を設けている。
【００７９】
前記ヘッドカバー８０の両側にインレット８４とアウトレット８５が設けられ、その下部中央にネジ孔８６が形成され、該ネジ孔８６に合成樹脂製の筒状のクリーナエレメント収納容器８７が、その連結管８８を介してねじ込まれて接続されている。
前記クリーナエレメント収納容器８７は透明の円筒状に形成され、その底部に複数の通孔８９が形成され、各収納容器８７に後述する各種のクリーナエレメントが収容されている。
【００８０】
前記クリーナエレメント収納容器８７の内部に、通気性を有する柔軟で透明な円筒状の収納袋９０が収容され、該収納袋９０に各種のクリーナエレメントが収容されている。
前記エレメントは、エアークリーナ７７の場合はオイルミスト除去部材９１として、微粒子状のナノ・カーボンを筒状若しくは円筒状にプレス成形したオイルミスト除去セグメントが収容され、収納袋９０内を移動する圧縮空気に含まれるオイルミストを捕集可能にしている。
【００８１】
また、エアークリーナ７８は乾燥・除湿部材９２として、粒子状の活性アルミナが収容され、収納袋９０内を移動する圧縮空気に含まれる水分または湿気を吸着可能にしている
更に、エアークリーナ７９は不純物除去部材９３として、多数の中空糸が収容され、収納袋９０内を移動する圧縮空気を中空糸の中心孔に移動させ、圧縮空気に含まれる水蒸気や溶存ガスを中空糸膜に吸着して除去可能にしている。
【００８２】
この他、図中、９４は各インレット８４とアウトレット８５を連結する前記接続導管１０と同様な接続導管、９５は容器カバー８２の底部に形成した通孔、９６は簡易ドレン８３の螺軸にねじ込んだナットで、各筒状容器８１の底部に簡易ドレン８３の螺軸を立設可能にしている。
図中、９７は各容器カバー８２に形成した開口部で、前記開口部４３と同様に形成され、また各筒状容器８１と容器カバー８２との間に、前記空隙部２６，４４と同様な空隙部９８が形成されている。
【００８３】
前記連結片８はエアークリーナ７７〜７９の増設分、長尺に延設され、その板面に複数のビス孔が形成され、延設した屈曲片８ａに複数の長孔５１が形成されている。図中、９９は各インレット８４の奥部に形成した通路で、各筒状容器８１の内部上方に連通している。
【００８４】
このように構成した第２の実施形態では、凝結器４とエアードライヤ５で圧縮空気中の水分を大量かつ精密に除去後、この圧縮空気がエアークリーナ７７に送り込まれ、そのインレット８４から通路９９を経て筒状容器８１内に導入され、その下方へ移動する。
そして、前記圧縮空気はクリーナエレメント収納容器８７の下方へ移動後、その底部から通孔９５に導かれて前記収納容器８７内へ移動し、収納袋９０を通過して内部に収納されたクリーナエレメントであるオイルミスト除去部材９１の間を上動し、圧縮空気に含まれるオイルミストが捕集される。
【００８５】
この後、前記圧縮空気は連結管８６を上動してアウトレット８５へ移動し、接続導管９４を経てエアークリーナ７８へ送り込まれる。
前記圧縮空気はエアークリーナ７８のインレット８４から通路９９を経て筒状容器８７内に導入され、その下方へ移動する。
前記圧縮空気はクリーナエレメント収納容器８７の下方へ移動後、その底部から通孔８９に導かれて前記収納容器８７内へ移動し、収納袋９０を通過して内部に収納されたクリーナエレメントである乾燥・除湿部材９２の間を上動し、圧縮空気に含まれる水分が除去される。
【００８６】
その後、前記圧縮空気は連結管８６を上動してアウトレット８５へ移動し、接続導管９４を経てエアークリーナ７９へ送り込まれる。
前記圧縮空気はエアークリーナ７９のインレット８４から通路９９を経て筒状容器８１内に導入され、その下方へ移動する。
【００８７】
そして、前記圧縮空気はクリーナエレメント収納容器８７の下方へ移動後、その底部から通孔８９に導かれて前記収納容器８７へ移動し、収納袋９０を通過して内部に収納されたクリーナエレメントである不純物除去部材９３の中空糸の中心孔を上動して、圧縮空気に含まれる不純物や溶存ガスを除去される。
【００８８】
その後、前記圧縮空気は連結管８６を上動してアウトレット８５へ移動し、接続導管６へ送り出され、オイルミストを除去され、乾燥・除湿され、不純物を除去された清浄で乾燥した冷却空気をヘアードライヤ７へ供給する。したがって、ヘアードライヤ７の機能低下や故障の発生が抑制される。
【００８９】
この場合、圧縮空気が各エアークリーナ７７〜７９を移動する際、クリーナエレメント収納容器８７の底面に衝突し、通孔８９を通過し、前記収納容器８７の上面に衝突して、微量の水分が凝集し凝結して各筒状容器８１の底部に流下し貯留する。このため、各簡易ドレン８３を適時操作して前記ドレン水を外部へ排出する。
【００９０】
一方、エアークリーナ７７〜７９は使用によって、各クリーナエレメント９１〜９３にオイルミストや湿気ないし水分、不純物等が捕集され吸着されて、徐々にクリーナ機能が低下する。
この状況は各クリーナエレメント９１〜９３の変色、変状によって確認し得るが、この状況は透明なクリーナエレメント収納容器８７と、透明な筒状容器８１と、透明な収納袋９０によって、エアークリーナ７７〜７９の開口部９７から視認し得る。
また、前記状況は、エアークリーナ７７〜７９の各簡易ドレン８３を操作した際の、圧縮空気の排出量の多少や圧力等によっても確認し得る。
【００９１】
こうして、エアークリーナ７７〜７９の各クリーナエレメント９１〜９３の現状を確認し、その機能低下を確認後、凝結器４、エアードライヤ５、エアークリーナ７７〜７９に対する冷却・乾燥空気の供給を一旦停止し、対応するエアークリーナ７７〜７９を取外し、対応するクリーナエレメント９１〜９３を新規なものに交換して、この種装置のメンテナンスに対応する。
【００９２】
この場合のメンテナンス作業は、ビス４１を取外し、対応するエアークリーナ７７〜７９の容器カバー８２を取外し、その内側の筒状容器８１の螺着を解除して取外し、対応するクリーナエレメント収納容器８７を取外す。
そして、対応する新規なクリーナエレメント９１〜９３を収納袋９０に収納したクリーナエレメント収納容器８７を用意し、これを対応するヘッドカバー８０の下面のネジ孔８６にねじ込み、この外側に筒状容器８１と容器カバー８２を取付ける。
このようにして新規なクリーナエレメント９１〜９３の交換を簡便に行え、対応するエアークリーナ７７〜７９の機能を簡便に回復し得る。
【００９３】
更に、エアークリーナ７７〜７９の各筒状容器８１の外側に、空隙部９８を介して開口部９７を備えた容器カバー８２を取付け、それらの間に空気を流通させているから、筒状容器８１の冷却を図れ、各クリーナ７７〜７９における気液分離効果を増進できるとともに、各筒状容器８１の破損による破片の飛散を防止し、また外部からの機械的な攻撃に耐えられる。
【００９４】
図２２は本発明の第３の実施形態を示し、この実施形態は凝結器４とエアードライヤ５、エアークリーナ７７〜７９を、連結片８と接続導管１０を介し横一列または縦向きにコンパクトに配置する代わりに、これらを垂直若しくは斜状に配置した管材等の支持部材１００に設置し、設置スペースのコンパクト化を図るとともに、支持部材１００の内部に配置することによって安全に保護し、室外設置の安全性を確保するようにしている。
この場合、凝結器４とエアードライヤ５、エアークリーナ７７〜７９の各ヘッドカバー１１，２９，８０は、支持部材１００にビス止めして置くことが望ましい。
【００９５】
図中、１０１，１０２は支持部材１００の上下端部を閉塞するキャップで、下側のキャップ１０２に複数の通孔１０３が設けられ、これらの通孔１０３に凝結器４の排出管５８と、エアードライヤ５の排出管６７の中間部が挿入されて配管されている。
この実施形態における配管は、若干長めで略Ｕ字形の接続導管１０，９４を要する以外は、前述の実施形態と実質的に同一である。
【００９６】
このようにこの実施形態は、一つの支持部材１００に凝結器４とエアードライヤ５、エアークリーナ７７〜７９を配置しているから、それらの設置スペースがコンパクトになる
また、前記支持部材１００を、例えば軸方向に分割した二つ割り構造の支持ピースを接合して構成すれば、凝結器４やエアードライヤ５、エアークリーナ７７〜７９の組み付けおよび取外しを、簡便かつ合理的に行なうことができ、またそれらのメンテナンスを簡便に行える。
【００９７】
なお、前述の実施形態ではエアーツ−ル７をヘアードライヤに適用しているが、冷却・乾燥空気を使用する他の設備や機器に適用することも可能である。
例えば、ヘアードライヤの代わりに、歯科医院の治療台に装備にする治療機器の駆動用圧縮空気や治療患部への清浄用空気、生鮮食料品店や飲食店、レストランにおける食品の鮮度向上のための吹き出し空気、病院や駅、飛行場、学校等の建物内の人の通路への吹き出し用空気に使用することも可能である。
【００９８】
図２３は本発明の第４の実施形態を示し、この実施形態は比較的少量の冷却・乾燥空気を使用する理容店内の適所にステンレス鋼板製のクールドライボックス１０４を設置し、このクールドライボックス１０４内の上部に、凝結器４とエアードライヤ５とエアークリーナ７７を横列に配置し、クールドライボックス１０４内の下部にエアークリーナ７８，７９を横列に配置している。
【００９９】
前記凝結器４とエアードライヤ５とエアークリーナ７７の上端部を中連結片８ｂに固定し、エアークリーナ７８,７９を小連結片８ｃに固定し、それらの屈曲片をクールドライボックス１０４の背面にビス孔５１を位置付けてビス止めしている。
前記クールドライボックス１０４は、高さ５５ｃｍ、横３０ｃｍ、奥行１２ｃｍ、重さ６ｋｇの箱体に形成され、これを上面に突設したＵ字形状の把手１０５を保持して、人力で持ち運び可能にしている。
【０１００】
前記上段のエアークリーナ７７と、下段のエアークリーナ７８とをＳ字状に折曲した接続導管９４で接続し、下段のエアークリーナ７９に圧縮空気導管６の一端を接続し、この他端を逆Ｓ字状に折曲してエアーツール７へ接続している。
前記クールドライボックス１０４内の下部の一側に、ドレン収納容器１０６が取り出し可能に設置され、その口元に凝結器４に接続した排出管５８と、エアードライヤ５に接続した排出管６７の下端部が挿入され、それぞれのドレン水５３を排出可能にしている。
この場合、この実施形態では比較的少量の冷却・乾燥空気を使用するため、凝結器４とエアードライヤ５に凝縮液ないしドレン水５３が比較的少量に生成され、これを収容するドレン収納容器１０６も比較的小容積のものを用いている。
【０１０１】
前記ドレン水５３の貯留量は、クールドライボックス１０４の前部に着脱可能に装着するカバー（図示略）の覗き孔（図示略）から視認可能にされ、ドレン水５３が所定量の貯留された際、カバーを取外してドレン収納容器１０５を取り出し、ドレン水５３を排出可能にしている。
すなわち、前記カバーは、ドレン収納容器１０５の取り出し時、または凝結器４、エアードライヤ５、エアークリーナ７７〜７９のメンテナンス時に、クールドライボックス１０４本体から取り外し可能にされている。
【０１０２】
このようにこの実施形態は、クールドライボックス１０４を軽量かつコンパクトに構成し、これを容易に持ち運び可能にするとともに、その内側に凝結器４とエアードライヤ５、および複数のエアークリーナ７７〜７９を収納し、それらをコンパクトかつ簡便に設置して使用するようにしている。
【０１０３】
図２４は本発明の第５の実施形態を示し、この実施形態は比較的多量の冷却・乾燥空気を使用する歯科医院に適用している。すなわち、歯科医院では治療機器の駆動用や口内の治療患部の清浄に多量の冷却・乾燥空気を使用しており、その合理的な供給設備として歯科医院内の適所にクールドライボックス１０４を設置している。
前記クールドライボックス１０４内の上段にエアークリーナ７７〜７９を横一列に配置し、下段に凝結器４とエアードライヤ５を横一列に配置し、エアードライヤ５の直上にエアークリーナ７７を配置し、これらを空気導管６で接続している。また、最後のエアークリーナ７９に空気導管６の一端を接続し、その他端をエアーツール７である、治療台近傍の治療機器および清浄用の導管接続部（図示略）に接続している。
【０１０４】
前記クールドライボックス１０４の底面に貫通穴１０７が形成され、該貫通穴１０７をドライボックス１０４の設置面に設けた直下の排水穴１０８に連通し、該排水穴１０８の下方にエアーコンプレッサ２および／またはエアータンク１を配置し、その吐出口に圧縮空気導管３の一端を接続し、この他端を凝結器４のインレットに接続している。
また、排水穴１０８の下方に排水路（図示略）が設けられ、該排水路に凝結器４に接続した排出管５８と、エアードライヤ５に接続した排出管６７とを配管し、それぞれのドレン水５３を排出可能にしている。
【０１０５】
このように、この実施形態は比較的多量の冷却・乾燥空気を使用する歯科医院に対し、多量の凝縮液を生成する凝結器４とエアードライヤ５を下段に配置し、その排出管５８と排出管６７とを貫通穴１０７と排水穴１０８へ配管し、それらの配管をコンパクトかつ容易に行なうとともに、ドレン水５３の排水を確実かつ円滑に行なうようにしている。
そして、エアークリーナ７９を移動した清浄後の冷却・乾燥空気は、接続導管６を介してクールドライボックス１０４の底面の貫通穴１０７から排水穴１０８へ配管し、その管端部を歯科医院内の治療台近傍の治療機器および清浄用の導管接続部（図示略）に接続して、冷却・乾燥空気を供給可能にしている。
【０１０６】
したがって、圧縮空気の供給とその除湿ないし冷却と、生成されたドレン水５３の排出を、歯科医院内に設置した小形軽量のクールドライボックス１０４で一貫して行ない、使用の利便性を向上するとともに、各構成部の不具合やエアークリーナ７７〜７９の部品交換等のメンテナンスを、カバーの着脱によって容易に行なうようにしている。
しかも、クールドライボックス１０４内に配管した圧縮空気導管３や空気導管６は、前述の実施形態のようにドライボックス１０４の外部に配管していないから、それだけクールドライボックス１０４の構成が簡潔になり、またその配管のコンパクト化と作業の容易化を増進するとともに、清浄な冷却乾燥空気の外気との接触を回避して昇温を抑制しエアーツ−ルへ供給し得る。
【産業上の利用可能性】
【０１０７】
本発明の冷却乾燥空気の供給装置は、例えばエアーコンプレッサ等で生成された圧縮空気を精度良く除湿かつ冷却して冷却・乾燥空気を安価かつ合理的に生成し、これをヘアードライヤ等のエアーツールや建物の通路、病院の治療台や歯科医院の治療機器、生鮮食料品店の食品展示ケ−スへ合理的に供給するから、各種エアーツールの使用上の利便性の向上と、医療および公衆衛生、公共の環境、食品の衛生の向上に好適である。
【符号の説明】
【０１０８】
１                エアータンク
３，６，１０      供給管路
４                凝結器
５                エアードライヤ
７                エアーツール（ヘヤードライヤ）
５２              外壁
７７〜７９        エアークリ−ナ
【０１０９】
１００            支持部材
１０１，１０２    キャップ
１０４            クールドライボックス
Ｓ                理容店
【図１】
2020051260.tif 000003
【図２】
2020051260.tif 000004
【図３】
2020051260.tif 000005
【図４】
2020051260.tif 000006
【図５】
2020051260.tif 000007
【図６】
2020051260.tif 000008
【図７】
2020051260.tif 000009
【図８】
2020051260.tif 000010
【図９】
2020051260.tif 000011
【図１０】
2020051260.tif 000012
【図１１】
2020051260.tif 000013
【図１２】
2020051260.tif 000014
【図１３】
2020051260.tif 000015
【図１４】
2020051260.tif 000016
【図１５】
2020051260.tif 000017
【図１６】
2020051260.tif 000018
【図１７】
2020051260.tif 000019
【図１８】
2020051260.tif 000020
【図１９】
2020051260.tif 000021
【図２０】
2020051260.tif 000022
【図２１】
2020051260.tif 000023
【図２２】
2020051260.tif 000024
【図２３】
2020051260.tif 000025
【図２４】
2020051260.tif 000026
【手続補正書】
【提出日】令和1年10月25日(2019.10.25)
【手続補正１】
【補正対象書類名】明細書
【補正対象項目名】００１６
【補正方法】変更
【補正の内容】
【００１６】
請求項１の発明は、清浄で乾燥した圧縮空気をエアーツールへ供給する供給管路に、気液を分離し圧縮空気を断熱膨張可能なエアードライヤを配置し、該エアードライヤより上流側に気液を分離可能な凝結器を配置した冷却乾燥空気の供給装置において、前記エアードライヤは、ドレン水を収容可能な有底筒状の筒状容器と、該筒状容器の上側開口部に装着したヘッドカバーと、該筒状容器内の上部に配置した中空の凝縮シリンダと、前記ヘッドカバーの内部に配置した供給管路に連通するインレットとアウトレットと、からなり、該インレットとアウトレットの空気通路に前記凝縮シリンダを介挿し、該凝縮シリンダ内の上部に複数の集気シリンダを配置し、該集気シリンダに前記アウトレットに連通する小孔状の貫通孔を形成し、圧縮空気を断熱膨張可能にする一方、前記凝結器はドレン水を収容可能な有底筒状の筒状容器と、該筒状容器の上側に装着したヘッドカバーと、該ヘッドカバーの内部に配置した供給管路に連通するインレットとアウトレットと、からなり、前記筒状容器内の上部に前記アウトレットに連通する中空筒状の凝結シリンダを配置し、該凝結シリンダ内の上面に圧縮空気を直接衝突可能に設け、凝結器から導入した圧縮空気をエアードライヤを介してエアーツールの複数の吹出口から吹き出し可能にし、凝結器とエアードライヤによって、大掛かりで高価な冷却装置を要することなく、小形かつコンパクトな構成によって冷却乾燥空気を生成し、これをエアーツールへ容易かつ安価に供給し、エアーツールの複数の吹出口から冷却乾燥空気を木目細かに吹き出すようにしている。
【手続補正２】
【補正対象書類名】明細書
【補正対象項目名】００１７
【補正方法】変更
【補正の内容】
【００１７】
請求項２の発明は、エアーツールは、ヘアードライヤまたはヘアーブラシ、病院の治療台若しくは歯科の治療台に装備された圧縮空気による治療用若しくは清浄用駆動機器若しくは駆動機具、建物内の通路に装備された圧縮空気の清浄用若しくは循環用機器、冷却乾燥空気の吹出口を備えた生鮮食料品の食品展示ケースであり、例えば業務用または家庭で使用するヘアードライヤまたはヘアーブラシによって、毛髪を傷めることなく低温で乾かすようにし、また一般病院や歯科の治療台に装備される圧縮空気による治療用若しくは清浄用空気の給排設備や、圧縮空気によって駆動する患者の手術若しくは治療用機器または治療用器具を、安価かつ容易に駆動するようにし、更に駅舎や病院、大学、学校などの多数の人が移動する通路内に装備される清浄用若しくは循環用機器によって、前記通路の換気の安価かつ容易化を図り公衆衛生の向上を促すとともに、生鮮食料品店における生鮮食料品の鮮度の維持向上を図るようにしている。
【手続補正３】
【補正対象書類名】明細書
【補正対象項目名】００１８
【補正方法】変更
【補正の内容】
【００１８】
請求項３の発明は、エアーツールの圧縮空気の吹出し位置と吹出口の数量と風量を調節可能にし、エアーツールにおける冷却乾燥空気を合理的に使用し得るようにしている。
請求項４の発明は、エアードライヤと凝結器を建物の外壁に配置し、前記ヘアードライヤまたはヘアーブラシを屋内に配置し、エアードライヤと凝結器を建物の外壁に配置することによって、それらを簡便かつコンパクトに設置するとともに、それらの屋内スペースの占有を回避し、屋内スペースの有効利用を図るようにしている。
請求項５の発明は、エアードライヤを凝結器と同形に形成し、エアードライヤと凝結器の構成部品を共通化し、それらを合理的かつ安価に製作し得るようにしている。
請求項６の発明は、エアードライヤの下流側に、前記エアードライヤと同形の１または複数のエアークリーナを配置し、それらの構成部品を共通化し、それらを合理的かつ安価に製作し得るようにしている。
【手続補正４】
【補正対象書類名】明細書
【補正対象項目名】００１９
【補正方法】変更
【補正の内容】
【００１９】
請求項７の発明は、管状の支持部材を垂直または斜状に配置し、該支持部材の内部にエアードライヤと凝結器を上下に配置し、それらを容易かつコンパクトに設置し、しかも安全に保護するようにしている。
請求項８の発明は、支持部材の上下端部をキャップを介して閉塞し、該支持部材を屋内外に設置可能にし、エアードライヤと凝結器の屋内外での設置を促すようにしている。
請求項９の発明は、支持部材を軸方向に二つ割りした一対の支持ピースを接合して構成し、管状の支持部材の製作と使用上の利便性を向上し、内部に設置した凝結器とエアードライヤのメンテナンスの向上を図るようにしている。
請求項１０の発明は、支持部材に前記供給管路を配管し、該供給管路に凝結器とエアードライヤ、および一または複数のエアークリーナを配置し、これらを容易かつコンパクトに設置し得るようにしている。
【手続補正５】
【補正対象書類名】明細書
【補正対象項目名】００２０
【補正方法】変更
【補正の内容】
【００２０】
請求項１１の発明は、冷却乾燥空気を使用する使用設備内にクールドライボックスを設置し、該クールドライボックス内に凝結器とエアードライヤを収納し、クールドライボックス内に凝結器とエアードライヤをコンパクトかつ簡便に設置し、使用上の利便性を向上するようにしている。
請求項１２の発明は、クールドライボックス内に前記凝結器とエアードライヤ、および１または複数のエアークリーナを収納し、清浄で冷却した乾燥空気を簡便に得られるようにしている。
請求項１３の発明は、クールドライボックス内の下方に凝結器とエアードライヤを配置するとともに、クールドライボックスの底部に排出穴に連通する貫通穴を形成し、該貫通穴に凝結器とエアードライヤのそれぞれの排出管を配管し、各排出管の配管をコンパクトかつ簡便に行なうとともに、それらのドレン水を確実かつ円滑に排出するようにしている
【手続補正６】
【補正対象書類名】明細書
【補正対象項目名】００２１
【補正方法】変更
【補正の内容】
【００２１】
請求項１４の発明は、排出穴にエアーコンプレッサおよび／またはエアータンクに接続する圧縮空気導管を配管し、該圧縮空気導管の一端を前記凝結器に接続し、エアーコンプレッサで生成した圧縮空気導管をクールドライボックス内にコンパクトに配管し、これを凝結器に接続して圧縮空気を合理的かつコンパクトに導入するようにしている。
請求項１５の発明は、凝結器とエアードライヤ、および／または１または複数のエアークリーナを接続する圧縮空気導管と空気導管とを、前記クールドライボックス内に配管し、それらの配管をコンパクトに実現するとともに、その配管作業を容易に行なうようにしている。
したがって、圧縮空気導管と空気導管とをクールドライボックスの外部に配管する場合に比べて、クールドライボックスの構成が簡潔になるとともに、圧縮空気導管と空気導管の配管をコンパクトに行なえ、しかも清浄な冷却乾燥空気の外気との接触を回避して昇温を抑制し、エアーツールへ供給するようにしている。
請求項１６の発明は、クールドライボックスを小形軽量で人力で持ち運び可能に構成し、その設置や移動を容易に行なえるようにしている。
【手続補正７】
【補正対象書類名】明細書
【補正対象項目名】００２２
【補正方法】変更
【補正の内容】
【００２２】
請求項１の発明は、エアードライヤは、ドレン水を収容可能な有底筒状の筒状容器と、該筒状容器の上側開口部に装着したヘッドカバーと、該筒状容器内の上部に配置した中空の凝縮シリンダと、前記ヘッドカバーの内部に配置した供給管路に連通するインレットとアウトレットと、からなり、該インレットとアウトレットの空気通路に前記凝縮シリンダを介挿し、該凝縮シリンダ内の上部に複数の集気シリンダを配置し、該集気シリンダに前記アウトレットに連通する小孔状の貫通孔を形成し、圧縮空気を断熱膨張可能にする一方、前記凝結器はドレン水を収容可能な有底筒状の筒状容器と、該筒状容器の上側に装着したヘッドカバーと、該ヘッドカバーの内部に配置した供給管路に連通するインレットとアウトレットと、からなり、前記筒状容器内の上部に前記アウトレットに連通する中空筒状の凝結シリンダを配置し、該凝結シリンダ内の上面に圧縮空気を直接衝突可能に設け、凝結器から導入した圧縮空気をエアードライヤを介してエアーツールの複数の吹出口から吹き出し可能にしたから、凝結器とエアードライヤによって、大掛かりで高価な冷却装置を要することなく、小形かつコンパクトな構成によって冷却乾燥空気を生成し、これをエアーツールへ容易かつ安価に供給し、エアーツールの複数の吹出口から冷却乾燥空気を木目細かに吹き出すことができる。
【手続補正８】
【補正対象書類名】明細書
【補正対象項目名】００２３
【補正方法】変更
【補正の内容】
【００２３】
請求項２の発明は、エアーツールは、ヘアードライヤまたはヘアーブラシ、病院の治療台若しくは歯科の治療台に装備された圧縮空気による治療用若しくは清浄用駆動機器若しくは駆動機具、建物内の通路に装備された圧縮空気の清浄用若しくは循環用機器、冷却乾燥空気の吹出口を備えた生鮮食料品の食品展示ケースであるから、例えば業務用または家庭で使用するヘアードライヤまたはヘアーブラシによって、毛髪を傷めることなく低温で乾かすことができ、また一般病院や歯科の治療台に装備される圧縮空気による治療用若しくは清浄用空気の給排設備や、圧縮空気によって駆動する患者の手術若しくは治療用機器または治療用器具を、安価かつ容易に駆動することができ、更に駅舎や病院、大学、学校などの多数の人が移動する通路内に装備される清浄用若しくは循環用機器によって、前記通路の換気の安価かつ容易化を図り公衆衛生を促すことができ、しかも生鮮食料品店における生鮮食料品の鮮度の維持向上を図ることができる。
【手続補正９】
【補正対象書類名】明細書
【補正対象項目名】００２４
【補正方法】変更
【補正の内容】
【００２４】
請求項３の発明は、エアーツールの圧縮空気の吹出し位置と吹出口の数量と風量を調節可能にしたから、エアーツールにおける冷却乾燥空気を合理的に使用することができる。
請求項４の発明は、エアードライヤと凝結器を建物の外壁に配置し、前記ヘアードライヤまたはヘアーブラシを屋内に配置したから、エアードライヤと凝結器を建物の外壁に配置して、それらを簡便かつコンパクトに設置できるとともに、それらの屋内スペースの占有を回避し、屋内スペースの有効利用を図ることができる。
請求項５の発明は、エアードライヤを凝結器と同形に形成したから、エアードライヤと凝結器の構成部品を共通化し、それらを合理的かつ安価に製作することができる。
請求項６の発明は、エアードライヤの下流側に、前記エアードライヤと同形の１または複数のエアークリーナを配置したから、それらの構成部品を共通化し、それらを合理的かつ安価に製作することができる。
請求項７の発明は、管状の支持部材を垂直または斜状に配置し、該支持部材の内部にエアードライヤと凝結器を上下に配置したから、それらを容易かつコンパクトに設置し、しかも安全に保護することができる。
請求項８の発明は、支持部材の上下端部をキャップを介して閉塞し、該支持部材を屋内外に設置可能にしたから、エアードライヤと凝結器の屋内外での設置を促すことができる。
請求項９の発明は、支持部材を軸方向に二つ割りした一対の支持ピースを接合して構成したから、管状の支持部材の製作と使用上の利便性を向上し、内部に設置した凝結器とエアードライヤのメンテナンスの向上を図ることができる。
【手続補正１０】
【補正対象書類名】明細書
【補正対象項目名】００２５
【補正方法】変更
【補正の内容】
【００２５】
請求項１０の発明は、支持部材に前記供給管路を配管し、該供給管路に凝結器とエアードライヤ、および一または複数のエアークリーナを配置したから、これらを容易かつコンパクトに設置することができる。
請求項１１の発明は、冷却乾燥空気を使用する使用設備内にクールドライボックスを設置し、該クールドライボックス内に凝結器とエアードライヤを収納したから、クールドライボックス内に凝結器とエアードライヤをコンパクトかつ簡便に設置し、使用上の利便性を向上することができる。
請求項１２の発明は、クールドライボックス内に前記凝結器とエアードライヤ、および１または複数のエアークリーナを収納したから、清浄で冷却した乾燥空気を簡便に得られる効果がある。
請求項１３の発明は、クールドライボックス内の下方に凝結器とエアードライヤを配置するとともに、クールドライボックスの底部に排出穴に連通する貫通穴を形成し、該貫通穴に凝結器とエアードライヤのそれぞれの排出管を配管したから、各排出管の配管をコンパクトかつ簡便に行なえるとともに、それらのドレン水を確実かつ円滑に排出することができる。
【手続補正１１】
【補正対象書類名】明細書
【補正対象項目名】００２６
【補正方法】変更
【補正の内容】
【００２６】
請求項１４の発明は、排出穴にエアーコンプレッサおよび／またはエアータンクに接続する圧縮空気導管を配管し、該圧縮空気導管の一端を前記凝結器に接続し、エアーコンプレッサで生成した圧縮空気導管をクールドライボックス内にコンパクトに配管したから、これを凝結器に接続して圧縮空気を合理的かつコンパクトに導入することができる。
請求項１５の発明は、凝結器とエアードライヤ、および／または１または複数のエアークリーナを接続する圧縮空気導管と空気導管とを、前記クールドライボックス内に配管したから、それらの配管をコンパクトに実現するとともに、その配管作業を容易に行なうことができる。
したがって、圧縮空気導管と空気導管とをクールドライボックスの外部に配管する場合に比べて、クールドライボックスの構成が簡潔になるとともに、圧縮空気導管と空気導管の配管をコンパクトに行なえ、しかも清浄な冷却乾燥空気の外気との接触を回避して昇温を抑制し、エアーツールへ供給することができる。
請求項１６の発明は、クールドライボックスを小形軽量で人力で持ち運び可能に構成したから、その設置や移動を容易に行なうことができる。
【手続補正１２】
【補正対象書類名】特許請求の範囲
【補正対象項目名】全文
【補正方法】変更
【補正の内容】
【特許請求の範囲】
【請求項１】
清浄で乾燥した圧縮空気をエアーツールへ供給する供給管路に、気液を分離し圧縮空気を断熱膨張可能なエアードライヤを配置し、該エアードライヤより上流側に気液を分離可能な凝結器を配置した冷却乾燥空気の供給装置において、前記エアードライヤは、ドレン水を収容可能な有底筒状の筒状容器と、該筒状容器の上側開口部に装着したヘッドカバーと、該筒状容器内の上部に配置した中空の凝縮シリンダと、前記ヘッドカバーの内部に配置した供給管路に連通するインレットとアウトレットと、からなり、該インレットとアウトレットの空気通路に前記凝縮シリンダを介挿し、該凝縮シリンダ内の上部に複数の集気シリンダを配置し、該集気シリンダに前記アウトレットに連通する小孔状の貫通孔を形成し、圧縮空気を断熱膨張可能にする一方、前記凝結器はドレン水を収容可能な有底筒状の筒状容器と、該筒状容器の上側に装着したヘッドカバーと、該ヘッドカバーの内部に配置した供給管路に連通するインレットとアウトレットと、からなり、前記筒状容器内の上部に前記アウトレットに連通する中空筒状の凝結シリンダを配置し、該凝結シリンダ内の上面に圧縮空気を直接衝突可能に設け、凝結器から導入した圧縮空気をエアードライヤを介してエアーツールの複数の吹出口から吹き出し可能にしたことを特徴とする冷却乾燥空気の供給装置。
【請求項２】
前記エアーツールは、ヘアードライヤまたはヘアーブラシ、病院の治療台若しくは歯科の治療台に装備された圧縮空気による治療用若しくは清浄用駆動機器若しくは駆動機具、建物内の通路に装備された圧縮空気の清浄用若しくは循環用機器、冷却乾燥空気の吹出口を備えた生鮮食料品の食品展示ケース、である請求項１記載の冷却乾燥空気の供給装置
【請求項３】
前記エアーツールの圧縮空気の吹出し位置と吹出口の数量と風量を調節可能にした請求項１記載の冷却乾燥空気の供給装置。
【請求項４】
前記エアードライヤと凝結器を建物の外壁に配置し、前記ヘアードライヤまたはヘアーブラシを屋内に配置した請求項２記載の冷却乾燥空気の供給装置。
【請求項５】
前記エアードライヤを凝結器と同形に形成した請求項１記載の冷却乾燥空気の供給装置。
【請求項６】
前記エアードライヤの下流側に、前記エアードライヤと同形の１または複数のエアークリーナを配置した請求項１記載の冷却乾燥空気の供給装置。
【請求項７】
管状の支持部材を垂直または斜状に配置し、該支持部材の内部にエアードライヤと凝結器を上下に配置した請求項１記載の冷却乾燥空気の供給装置。
【請求項８】
前記支持部材の上下端部をキャップを介して閉塞し、該支持部材を屋内外に設置可能にした請求項７記載の圧縮空気の気液分離装置。
【請求項９】
前記支持部材を軸方向に二つ割りした一対の支持ピースを接合して構成した請求項７記載の冷却乾燥空気の供給装置。
【請求項１０】
前記支持部材に前記供給管路を配管し、該供給管路に凝結器とエアードライヤ、および一または複数のエアークリーナを配置した請求項７記載の冷却乾燥空気の供給装置。
【請求項１１】
冷却乾燥空気を使用する使用設備内にクールドライボックスを設置し、該クールドライボックス内に凝結器とエアードライヤを収納した請求項１記載の冷却乾燥空気の供給装置。
【請求項１２】
前記クールドライボックス内に前記凝結器とエアードライヤ、および１または複数のエアークリーナを収納した請求項１１記載の冷却乾燥空気の供給装置。
【請求項１３】
前記クールドライボックス内の下方に凝結器とエアードライヤを配置するとともに、クールドライボックスの底部に排出穴に連通する貫通穴を形成し、該貫通穴に凝結器とエアードライヤのそれぞれの排出管を配管した請求項１１記載の冷却乾燥空気の供給装置。
【請求項１４】
前記排出穴にエアーコンプレッサおよび／またはエアータンクに接続する圧縮空気導管を配管し、該圧縮空気導管の一端を前記凝結器に接続した請求項１３記載の冷却乾燥空気の供給装置。
【請求項１５】
前記凝結器とエアードライヤ、および／または１または複数のエアークリーナを接続する圧縮空気導管と空気導管とを、前記クールドライボックス内に配管した請求項１１記載の冷却乾燥空気の供給装置。
【請求項１６】
前記クールドライボックスを小形軽量で人力で持ち運び可能に構成した請求項１１記載の冷却乾燥空気の供給装置。
【手続補正書】
【提出日】令和1年12月4日(2019.12.4)
【手続補正１】
【補正対象書類名】明細書
【補正対象項目名】００１６
【補正方法】変更
【補正の内容】
【００１６】
請求項１の発明は、清浄で乾燥した圧縮空気をエアーツールへ供給する供給管路に、気液を分離し圧縮空気を断熱膨張可能なエアードライヤを配置し、該エアードライヤより上流側に気液を分離可能な凝結器を配置した冷却乾燥空気の供給装置において、前記エアードライヤは、ドレン水を収容可能な有底筒状の筒状容器と、該筒状容器の上側開口部に装着したヘッドカバーと、該筒状容器内の上部に配置した中空の凝縮シリンダと、前記ヘッドカバーの内部に配置した供給管路に連通するインレットとアウトレットと、からなり、該アウトレットの空気通路に前記凝縮シリンダの上端部に突設した連結管を装着し、該凝縮シリンダ内の上部に複数の集気シリンダを配置し、該集気シリンダに前記アウトレットに連通する小孔状の貫通孔を形成し、圧縮空気を断熱膨張可能にする一方、前記凝結器はドレン水を収容可能な有底筒状の筒状容器と、該筒状容器の上側に装着したヘッドカバーと、該ヘッドカバーの内部に配置した供給管路に連通するインレットとアウトレットと、からなり、前記筒状容器内の上部に前記アウトレットに連通する中空筒状の凝結シリンダを配置し、該凝結シリンダ内の上面に圧縮空気を直接衝突可能に設け、凝結器から導入した圧縮空気をエアードライヤを介してエアーツールの複数の吹出口から吹き出し可能にし、凝結器とエアードライヤによって、大掛かりで高価な冷却装置を要することなく、小形かつコンパクトな構成によって冷却乾燥空気を生成し、これをエアーツールへ容易かつ安価に供給し、エアーツールの複数の吹出口から冷却乾燥空気を木目細かに吹き出すようにしている。
【手続補正２】
【補正対象書類名】明細書
【補正対象項目名】００１７
【補正方法】変更
【補正の内容】
【００１７】
請求項２の発明は、エアーツールは、ヘアードライヤまたはヘアーブラシ、歯科医院の治療台に装備する治療機器の駆動用圧縮空気や治療患部への清浄用空気の設備や機器、建物内の人の通路への吹き出し用空気の設備や機器、生鮮食料品店や飲食店、レストランにおける食品の鮮度向上用の吹き出し空気の設備や機器であり、例えば業務用または家庭で使用するヘアードライヤまたはヘアーブラシによって、毛髪を傷めることなく低温で乾かすようにし、また歯科医院の治療機器や治療患部への設備や機器を安価かつ容易に駆動するようにし、更に人が移動する通路への吹き出し用空気の設備や機器によって、病院や駅、飛行場、学校等の通路の換気の安価かつ容易化を図り、公衆衛生の向上を図るとともに、生鮮食料品店等における生鮮食料品や食品の鮮度の維持向上を図るようにしている。
【手続補正３】
【補正対象書類名】明細書
【補正対象項目名】００１８
【補正方法】変更
【補正の内容】
【００１８】
請求項３の発明は、ヘアードライヤまたはヘアーブラシの圧縮空気の導通部にブラシホルダを配置し、該ブラシホルダの先端部にブラシ台を保持可能なブラシ枠を設け、該ブラシ枠にブラシホルダ内に連通する複数の貫通孔を形成し、前記ブラシ台にブラシホルダ内に連通する複数の吹出孔と通孔を形成し、前記ブラシ台の内側から複数のブラシ軸を有するブラシユニットを着脱可能に装着し、前記ブラシ軸を前記通孔に着脱可能に取付け、ヘアードライヤまたはヘアーブラシに対し冷却乾燥空気を合理的に使用し得るようにしている。
請求項４の発明は、エアードライヤと凝結器を建物の外壁に配置し、前記ヘアードライヤまたはヘアーブラシを屋内に配置し、エアードライヤと凝結器を建物の外壁に配置することによって、それらを簡便かつコンパクトに設置するとともに、それらの屋内スペースの占有を回避し、屋内スペースの有効利用を図るようにしている。
請求項５の発明は、エアードライヤを凝結器と同形に形成し、エアードライヤと凝結器の構成部品を共通化し、それらを合理的かつ安価に製作し得るようにしている。
請求項６の発明は、エアードライヤの下流側に、前記エアードライヤと同形の１または複数のエアークリーナを配置し、それらの構成部品を共通化し、それらを合理的かつ安価に製作し得るようにしている。
【手続補正４】
【補正対象書類名】明細書
【補正対象項目名】００２２
【補正方法】変更
【補正の内容】
【００２２】
請求項１の発明は、エアードライヤは、ドレン水を収容可能な有底筒状の筒状容器と、該筒状容器の上側開口部に装着したヘッドカバーと、該筒状容器内の上部に配置した中空の凝縮シリンダと、前記ヘッドカバーの内部に配置した供給管路に連通するインレットとアウトレットと、からなり、該アウトレットの空気通路に前記凝縮シリンダの上端部に突設した連結管を装着し、該凝縮シリンダ内の上部に複数の集気シリンダを配置し、該集気シリンダに前記アウトレットに連通する小孔状の貫通孔を形成し、圧縮空気を断熱膨張可能にする一方、前記凝結器はドレン水を収容可能な有底筒状の筒状容器と、該筒状容器の上側に装着したヘッドカバーと、該ヘッドカバーの内部に配置した供給管路に連通するインレットとアウトレットと、からなり、前記筒状容器内の上部に前記アウトレットに連通する中空筒状の凝結シリンダを配置し、該凝結シリンダ内の上面に圧縮空気を直接衝突可能に設け、凝結器から導入した圧縮空気をエアードライヤを介してエアーツールの複数の吹出口から吹き出し可能にしたから、凝結器とエアードライヤによって、大掛かりで高価な冷却装置を要することなく、小形かつコンパクトな構成によって冷却乾燥空気を生成し、これをエアーツールへ容易かつ安価に供給し、エアーツールの複数の吹出口から冷却乾燥空気を木目細かに吹き出すことができる。
【手続補正５】
【補正対象書類名】明細書
【補正対象項目名】００２３
【補正方法】変更
【補正の内容】
【００２３】
請求項２の発明は、エアーツールは、ヘアードライヤまたはヘアーブラシ、歯科医院の治療台に装備する治療機器の駆動用圧縮空気や治療患部への清浄用空気の設備や機器、建物内の人の通路への吹き出し用空気の設備や機器、生鮮食料品店や飲食店、レストランにおける食品の鮮度向上用の吹き出し空気の設備や機器であるから、例えば業務用または家庭で使用するヘアードライヤまたはヘアーブラシによって、毛髪を傷めることなく低温で乾かすことができ、また歯科医院の治療機器や治療患部への設備や機器を安価かつ容易に駆動することができ、更に人が移動する通路への吹き出し用空気の設備や機器によって、病院や駅、飛行場、学校等の通路の換気の安価かつ容易化を図り、公衆衛生の向上を促すことができ、しかも生鮮食料品店等における生鮮食料品や食品の鮮度の維持向上を図ることができる。
【手続補正６】
【補正対象書類名】明細書
【補正対象項目名】００２４
【補正方法】変更
【補正の内容】
【００２４】
請求項３の発明は、ヘアードライヤまたはヘアーブラシの圧縮空気の導通部にブラシホルダを配置し、該ブラシホルダの先端部にブラシ台を保持可能なブラシ枠を設け、該ブラシ枠にブラシホルダ内に連通する複数の貫通孔を形成し、前記ブラシ台にブラシホルダ内に連通する複数の吹出孔と通孔を形成し、前記ブラシ台の内側から複数のブラシ軸を有するブラシユニットを着脱可能に装着し、前記ブラシ軸を前記通孔に着脱可能に取付けたから、ヘアードライヤまたはヘアーブラシに対し冷却乾燥空気を合理的に使用することができる。
請求項４の発明は、エアードライヤと凝結器を建物の外壁に配置し、前記ヘアードライヤまたはヘアーブラシを屋内に配置したから、エアードライヤと凝結器を建物の外壁に配置して、それらを簡便かつコンパクトに設置できるとともに、それらの屋内スペースの占有を回避し、屋内スペースの有効利用を図ることができる。
請求項５の発明は、エアードライヤを凝結器と同形に形成したから、エアードライヤと凝結器の構成部品を共通化し、それらを合理的かつ安価に製作することができる。
請求項６の発明は、エアードライヤの下流側に、前記エアードライヤと同形の１または複数のエアークリーナを配置したから、それらの構成部品を共通化し、それらを合理的かつ安価に製作することができる。
請求項７の発明は、管状の支持部材を垂直または斜状に配置し、該支持部材の内部にエアードライヤと凝結器を上下に配置したから、それらを容易かつコンパクトに設置し、しかも安全に保護することができる。
請求項８の発明は、支持部材の上下端部をキャップを介して閉塞し、該支持部材を屋内外に設置可能にしたから、エアードライヤと凝結器の屋内外での設置を促すことができる。
請求項９の発明は、支持部材を軸方向に二つ割りした一対の支持ピースを接合して構成したから、管状の支持部材の製作と使用上の利便性を向上し、内部に設置した凝結器とエアードライヤのメンテナンスの向上を図ることができる。
【手続補正７】
【補正対象書類名】特許請求の範囲
【補正対象項目名】請求項１
【補正方法】変更
【補正の内容】
【請求項１】
清浄で乾燥した圧縮空気をエアーツールへ供給する供給管路に、気液を分離し圧縮空気を断熱膨張可能なエアードライヤを配置し、該エアードライヤより上流側に気液を分離可能な凝結器を配置した冷却乾燥空気の供給装置において、前記エアードライヤは、ドレン水を収容可能な有底筒状の筒状容器と、該筒状容器の上側開口部に装着したヘッドカバーと、該筒状容器内の上部に配置した中空の凝縮シリンダと、前記ヘッドカバーの内部に配置した供給管路に連通するインレットとアウトレットと、からなり、該アウトレットの空気通路に前記凝縮シリンダの上端部に突設した連結管を装着し、該凝縮シリンダ内の上部に複数の集気シリンダを配置し、該集気シリンダに前記アウトレットに連通する小孔状の貫通孔を形成し、圧縮空気を断熱膨張可能にする一方、前記凝結器はドレン水を収容可能な有底筒状の筒状容器と、該筒状容器の上側に装着したヘッドカバーと、該ヘッドカバーの内部に配置した供給管路に連通するインレットとアウトレットと、からなり、前記筒状容器内の上部に前記アウトレットに連通する中空筒状の凝結シリンダを配置し、該凝結シリンダ内の上面に圧縮空気を直接衝突可能に設け、凝結器から導入した圧縮空気をエアードライヤを介してエアーツールの複数の吹出口から吹き出し可能にしたことを特徴とする冷却乾燥空気の供給装置。
【手続補正８】
【補正対象書類名】特許請求の範囲
【補正対象項目名】請求項２
【補正方法】変更
【補正の内容】
【請求項２】
前記エアーツールは、ヘアードライヤまたはヘアーブラシ、歯科医院の治療台に装備する治療機器の駆動用圧縮空気や治療患部への清浄用空気の設備や機器、建物内の人の通路への吹き出し用空気の設備や機器、生鮮食料品店や飲食店、レストランにおける食品の鮮度向上用の吹き出し空気の設備や機器である請求項１記載の冷却乾燥空気の供給装置。
【手続補正９】
【補正対象書類名】特許請求の範囲
【補正対象項目名】請求項３
【補正方法】変更
【補正の内容】
【請求項３】
前記ヘアードライヤまたはヘアーブラシの圧縮空気の導通部にブラシホルダを配置し、該ブラシホルダの先端部にブラシ台を保持可能なブラシ枠を設け、該ブラシ枠にブラシホルダ内に連通する複数の貫通孔を形成し、前記ブラシ台にブラシホルダ内に連通する複数の吹出孔と通孔を形成し、前記ブラシ台の内側から複数のブラシ軸を有するブラシユニットを着脱可能に装着し、前記ブラシ軸を前記通孔に着脱可能に取付けた請求項２記載の冷却乾燥空気の供給装置。